(57)【要約】  製品トレイと、トレイ内に取り付けることができる情報表示体と、を有する製品包装体。情報表示体は製品トレイ内で保持することができ、製品はトレイ内で情報表示体の上に配置される。トレイは、保管又は輸送の途中での損傷から製品を保護することができるだけでなく、表示中に向上された外観を提供することができる。情報表示体は、消費者に情報を伝達することができるだけでなく、製品トレイからの製品の取り外しを補助することができる。【選択図】図１
2013518780.tif 000002
【特許請求の範囲】
【請求項１】
外側寸法を有する機器を保管及び表示するための装置において、
トレイであって、その中に凹部が画成されており、前記機器が前記凹部内に堅固に配置されるように、前記凹部の寸法が前記外側寸法とほぼ一致するトレイと、
第１及び第２の部分を備える情報表示体であって、第１の部分は前記トレイの前記凹部の内側にフィットするような寸法を有し、前記第１の部分がその中に配置されたときに前記情報表示体の前記第２の部分は前記トレイの前記凹部の外側に延びる、情報表示体と、を備える、
ことを特徴とする装置。
【請求項２】
箱であって、前記トレイを前記箱の中に堅固に配置できるように、前記トレイの外側寸法とほぼ一致する内側寸法を有する箱を更に備える、請求項１に記載の装置。
【請求項３】
前記箱は上部と下部とを更に備え、前記上部は前記下部上に配置されるカバーを形成し、それによって前記トレイの周囲に筐体を形成する、請求項２に記載の装置。
【請求項４】
前記トレイの上面は、柔軟な材料の層で覆われている、請求項１に記載の装置。
【請求項５】
前記情報表示体の前記第２の部分は、前記第１の部分に結合された折り畳み可能な端部タブを備える、請求項１に記載の装置。
【請求項６】
前記機器はライターであり、前記製品包装体はほぼ矩形の外側寸法を有する、請求項１に記載の装置。
【請求項７】
機器を保管又は表示することができる製品包装体において、
トレイであって、その中に画成された凹部を有し、前記凹部が、
底面と、
前記底面の対向する側から垂直に延びており、前記機器の厚さと等しいか又はより大きい高さを有する第１及び第２の側壁と、
前記底面の対向する端部から延びており、前記第１及び第２の側壁を結合するとともに前記底面から角度をつけて延びる内面を有し、前記内面が台形形状を有する、第１及び第２の端壁と、
を備えるトレイを備える、製品包装体。
【請求項８】
前記トレイに結合された情報表示体を更に備え、前記情報表示体の少なくとも１つの部分が前記凹部の内側にフィットする、請求項７に記載の製品包装体。
【請求項９】
前記機器は矩形形状であり、前記底面の有する長さ及び幅は前記機器の前記長さ及び幅とほぼ合う、請求項７に記載の製品包装体。
【請求項１０】
前記第１及び第２の端壁は、
第１及び第２の内側端壁であって、各々が上縁部及び下縁部を有し、各々の前記下縁部が前記底面の対向する端部に結合された、第１及び第２の内側端壁と、
第１及び第２の外側端壁であって、各々が上縁部及び下縁部を有し、前記第１の外側端壁の前記上縁部は前記第１の内側端壁の前記上縁部と結合しており、前記第２の外側端壁の前記上縁部は前記第２の内側端壁の前記上縁部と結合している、第１及び第２の外側端壁と、
を備える、請求項７に記載の製品包装体。
【請求項１１】
前記情報表示体は、
前記凹部の内側に堅固に配置できるような外側寸法を有する矩形部と、
前記矩形部に結合されており、前記矩形部が前記凹部の内側に配置されたときに前記凹部の内側から前記凹部の外側に延びる寸法を有する、第１及び第２の端部タブと、
を備える、請求項８に記載の製品包装体。
【請求項１２】
前記第１及び第２の端部タブは、前記第１及び第２の側壁の前記内面の前記台形形状に一致する形状を有する、請求項１１に記載の製品包装体。
【請求項１３】
箱であって、前記トレイを前記箱内に堅固に配置できるように、前記トレイの外側寸法とほぼ一致する内側寸法を有する箱を更に備える、請求項７に記載の製品包装体。
【請求項１４】
前記箱は上部及び下部を更に備え、前記上部は前記下部上に配置されるカバーを形成し、それによって前記トレイの周囲に筐体を形成する、請求項１３に記載の製品包装体。
【請求項１５】
前記トレイの前記上面は柔軟な材料の層で覆われている、請求項７に記載の製品包装体。
【請求項１６】
前記第１及び第２の側壁の少なくとも一方はその中に画成された少なくとも１つの溝を備え、前記溝は取り外し手段を受けることができる、請求項７に記載の製品包装体。
【請求項１７】
前記第１及び第２の端壁の少なくとも一方は、前記第１及び第２の端壁の少なくとも一方の前記外面の中に画成された１又は複数の窪みを備える、請求項７に記載の製品包装体。
【請求項１８】
前記情報表示体は折り畳み可能な材料で構成されている、請求項８に記載の製品包装体。
【請求項１９】
前記第１及び第２の側壁は、１又は複数の突出する稜線部を更に備える、請求項７に記載の製品包装体。
【請求項２０】
前記機器はライターである、請求項７に記載の製品包装体。
【請求項２１】
機器を保管又は表示することができる製品包装体において、
トレイであって、
上面と、
前記機器を受ける前記トレイ内に画成されており、凹床面を有する第１の凹部と、
前記トレイ内に画成されており、前記第１の凹部の前記凹床面内に画成された更なる凹領域と、前記トレイの前記上面内に画成された第１及び第２の凹面領域と、を備える、第２の凹部と、
折り畳み部と前記折り畳み部に結合されたフラップ部とを備える情報表示体であって、前記情報表示体の前記折り畳み部は前記第２の凹部の前記更なる凹領域の内側にフィットする寸法を有し、前記情報表示体の前記フラップ部は前記トレイの前記凹面領域の内側にフィットする寸法を有する、情報表示体と、
を備えるトレイを備える、製品包装体。
【請求項２２】
前記トレイは１又は複数の内壁を更に備える、請求項２１に記載の製品包装体。
【請求項２３】
前記トレイは１又は複数の外壁を更に備える、請求項２１に記載の製品包装体。
【請求項２４】
箱であって、前記トレイを前記箱内に堅固に配置できるように、前記トレイの外側寸法とほぼ一致する内側寸法を有する箱を備える、請求項２１に記載の製品包装体。
【請求項２５】
前記箱は上部及び下部を更に備え、前記上部は前記下部上に配置されるカバーを形成し、それによって前記トレイの周囲に筐体を形成する、請求項２４に記載の製品包装体。
【請求項２６】
前記トレイの上面は柔軟な材料の層で覆われている、請求項２１に記載の製品包装体。
【請求項２７】
前記１又は複数の内壁の少なくとも一方はその中に画成された少なくとも１つの溝を含み、前記溝は取り外し手段を受けることができる、請求項２２に記載の製品包装体。
【請求項２８】
前記情報表示体の前記折り畳み部は、
矩形の凹底部と、
２つの矩形の側部と、
を更に備える、請求項２１に記載の製品包装体。
【請求項２９】
前記情報表示体の各フラップ部は、
表面タブと、
外側フラップと、
を更に備える、請求項２１に記載の製品包装体。
【請求項３０】
前記機器はライター又は筆記具である、請求項２１に記載の製品包装体。 
【発明の詳細な説明】
【技術分野】
【０００１】
本願は、一般的には製品包装体であって、具体的には包装体と、情報表示体を組み込むことができるトレイを含むディスプレイユニットと、に関する。
【背景技術】
【０００２】
製品の包装は、製品及び消費者に最も有益となる包装の種類において多くの変化がある分野である。製品の包装は、特定の製品を選ぶための消費者の決定において重要な要素となり得る。製品の包装は、消費者の注意を引くこと及びおそらく製品の特徴について消費者に情報を提供することによって、消費者の決定に影響を与えることができる。製品の包装のこの情報的側面は、包装それ自体との組み合わせにおいて情報表示体によって提供され得る。製品の包装のさらなる利益は、表示又は輸送の途中での損傷から製品を保護することである。十分なレベルの保護を提供する一方で使いやすい包装を提供することが望ましい。この使いやすさは、包装体への又は包装体からの製品の簡単な配置及び取り外しをしばしば要求する。これらの機能のすべての組み合わせを実行する製品包装体が強く望まれている。
【発明の概要】
【発明が解決しようとする課題】
【０００３】
具体的には、ライターのような製品について、頑丈な包装体の中で製品に保護を提供することと同時に、消費者の注意が引き付けられ、製品又は関連製品についての情報が容易に伝達されるように、消費者へ製品を提示することが望ましい。
【課題を解決するための手段】
【０００４】
本願は、機器の保管及び表示のための装置に関し、装置はその中に画成された凹部を持つトレイを備え、保管及び表示のために凹部内に機器が堅固に配置されるように、凹部の寸法は機器の寸法とほぼ一致する。装置は、凹部に結合され得る情報表示体を更に備え、情報表示体の第１の部分はトレイの凹部内に配置され、情報表示体の第２の部分はトレイの外側に延びる。
【０００５】
更なる開示内容は、機器を保管又は表示することができる製品包装体であって、その中に画成された凹部を有するトレイを備え、凹部は、底面と、底面の対向する側部から垂直に延びる第１及び第２の側壁であって機器の厚さと等しいかまたはより大きい高さを有する第１及び第２の側壁と、底面の対向する端部から延びる第１及び第２の端壁と、を備え、第１及び第２の端壁は、各々が第１及び第２の側壁に結合され、底面から角度をつけて延びる内面であって台形形状を有するような内面を有する、製品包装体である。
【０００６】
更に、開示内容は、機器を保管及び表示することができる製品包装体であって、上面を有するトレイと、機器を受けるためにトレイ内に画成された第１の凹部であって凹床面を有する第１の凹部と、トレイ内に画成された第２の凹部と、を備え、第２の凹部は、第１の凹部の凹床面内に画成された更なる凹領域とトレイの上面内に画成された第１及び第２の凹面領域とを備える、製品包装体である。装置はトレイに結合され得る情報表示体を更に備え、情報表示体は折り畳み部とその折り畳み部に結合されたフラップ部とを備え、情報表示体の部分は第２の凹部の更なる凹領域内に配置され、情報表示体のフラップ部はトレイの凹面領域内に配置され得る。
【０００７】
本願の特徴及び利点のより十分な理解のために、添付図面に沿って詳細な説明に参照が付される。
【図面の簡単な説明】
【０００８】
【図１】図１は、本願のトレイの第１実施形態の斜視図である。
【図２】図２は、図１のトレイの端面図である。
【図３】図３は、図１のトレイの側面図である。
【図４】図４は、図１のトレイの上部平面図である。
【図５】図５は、図１のトレイの下部平面図である。
【図６】図６は、本願の情報表示体の第１実施形態を保持する、図１のトレイの斜視図である。
【図７】図７は、図６の情報表示体及びトレイの分解図である。
【図８】図８は、本願のトレイの第２実施形態の斜視図である。
【図８ａ】図８ａは、トレイの代表的な実施例を示す図である。
【図９】図９は、図８に示すトレイ及び箱の分解図である。
【図１０】図１０は、図８に示すトレイ及び情報表示体の一実施形態の分解図である。
【図１１】図１１は、トレイの第２実施形態の上部平面図である。
【図１２】図１２は、図１１のトレイの端面図である。
【図１３】図１３は、図１１のトレイの側面図である。
【図１４】図１４は、図１１のトレイの下部平面図である。
【図１５】図１５は、本願の情報表示体の第２実施形態の斜視図である。
【図１６】図１６は、トレイによって保持される図１５の情報表示体と一体となった、図１１のトレイの上部平面図である。
【図１６ａ】図１６ａは、トレイの代表的な実施例を示す図である。
【図１７】図１７は、図１６のトレイ及び情報表示体の組立品の側面図である。
【図１８】図１８は、図１６の１８−１８線に沿った断面図である。
【図１８ａ】図１８ａは、トレイの代表的な実施例を示す図である。
【発明を実施するための形態】
【０００９】
添付され最初に図１〜７を参照する図において、参照符号１０は、保管又は表示される情報表示体及び製品又は機器（図示せず）を保持するために用いられ得るトレイの第１実施形態を示す。トレイ１０のこの特定の実施形態は、ライターのような矩形状の製品の保管及び表示に適している。
【００１０】
トレイ１０は一般に、プラスチックのような、成形された半硬質材料の一体品で出来ている。いくつかの実施形態では、しかしながら、トレイ１０は取り外し可能に結合された部品から構成され得る。トレイ１０の上側は、製品に対する損傷を防ぐ他に、製品を表示するためのトレイ１０の美観を向上させる目的で、ベルベット、布、又はフェルトのように柔らかい［柔軟な？］材料で覆うことができる。柔らかい材料のカバーは、製品がトレイ１０内に配置されたときにより堅固なフィット感を提供するという利点をも有し得る。
【００１１】
図１を参照すると、トレイ１０のこの実施形態は２つの側壁１２ａ及び１２ｂを有するように表されている。これらの２つの側壁は、凹部１４の対向する側にある。凹部１４は、トレイ１０内に保管又は表示される製品又は機器の寸法とほぼ合う寸法となっており、凹床面１６、２つの同じような寸法であって凹床面１６の対向する側の側壁１２ａ及び１２ｂ、及び、凹床面１６の対向する側において２つの同じような寸法で外側に傾斜した端壁２０ａ及び２０ｂによって画成されている。端壁２０ａ及び２０ｂは、凹床面から角度をつけて延びており、それゆえ端壁が凹床面から上方に立ち上がるにつれて端壁の幅が増大する台形形状を呈する。いくつかの実施形態では、端壁は垂直であり矩形状を有する。いくつかの実施形態では、側壁１２ａ及び１２ｂのどちらの端部にも、トレイ１０内の製品のより堅固な配置を可能とする、凹部１４から突出する稜線部２２がある。これらの突出する稜線部２２は、それがトレイによって保持されたときの製品又は機器のすべり又はずれを防ぐことを助ける。トレイのいくつかの実施形態はまた、トレイ１０から製品の取り出しを補助することができる取り出し手段の挿入を可能とする、側壁１２ａ及び１２ｂ内の溝２４ａ及び２４ｂを含む。
【００１２】
さらに図１を参照すると、トレイ１０の外側は、２つの側壁１２ａ及び１２ｂ並びに２つの外側端壁２８ａ及び２８ｂにより画成される。いくつかの実施形態では、トレイ１０の長さ及び幅は、トレイ１０が矩形の箱の中にフィットするものであり、保管のために覆われるか又は表示のために覆われないままとし得る。従って、トレイ１０の長さ及び幅は、トレイ１０が箱の内側でフィットできるように箱の長さ及び幅よりわずかに小さい。いくつかの実施形態では箱は下部及び上部からなり、又は他の実施形態では単一部分のみを含む。箱が上部及び下部を有する場合、トレイ１０は箱の下部内に配置される。箱の上部は、トレイ１０の周囲の筐体を形成するために下部の上に配置される。この構成では、封された箱は製品の輸送に適する。
【００１３】
いくつかの実施形態では、トレイ１０の外側端壁２８ａ及び２８ｂは、その中に画成され、箱へ又は箱からのトレイの取り外し又は配置において補助することができる配置又は取り外しの手段を使用できるような、１つ以上の窪み３０を含む。他の実施形態では、これらの窪み３０は、外側端壁２８ａ及び２８ｂ内のこれらの位置に加えて又は置き換えて、側壁１２ａ及び１２ｂの外側に画成することもできる。
【００１４】
図２は、いくつかの実施形態において現れるトレイ１０の端面図を示す。この図は、さらに外側端壁２８ｂ上の窪み３０の存在をも示している。この特定の実施形態の対称性の特徴により、この図は外側端壁２８ａを示す反対側の端部にて見た場合にも同様である。この実施形態では、外側端壁２８ｂの高さは側壁１２ａ及び１２ｂの高さより小さいことに留意されたい。この構成は、情報表示体６０（さらに下の方に記載されている）に対して、トレイ１０内に配置されてトレイ１０の端壁２０ａ及び２０ｂを越えて延びることを可能とする。トレイ１０の端壁２０ａ及び２０ｂを越えて延びる情報表示体６０の部分は容易に掴むことができ、トレイ１０からの表示体６０の取り外しを容易にする。加えて、トレイ１０内で情報表示体６０の上に製品が配置される場合、トレイ１０の端壁２０ａ及び２０ｂを超えて延びる表示体の部分を掴むこと及び上方に持ち上げることによって、製品をトレイからより容易に取り外すこともでき、従って、製品を取り外すために取り外し手段を使用すること又はトレイ１０を逆さまにひっくり返すことの必要性をなくすことができる。
【００１５】
図３は、いくつかの実施形態で現れるトレイ１０の側面図を示す。この側面図は側壁１２ｂを示す。この実施形態では、側壁１２ａ及び１２ｂの長さ及び高さは、それぞれ、トレイ１０内で保管又は表示される製品の長さ及び深さより大きいか又は等しい。これは、トレイ１０内で保持されたときの製品の損傷からのより良好な保護を提供する。重ねて、この特定の実施形態におけるトレイの対称性により、この図は側壁１２ａを示す反対側にて見る場合にも同様である。
【００１６】
図４は、トレイ１０の上部平面図である。この図は、トレイ１０の矩形形状と、対応する凹床面１６の矩形形状と、を示す。この実施形態における凹床面１６の矩形形状は、トレイ１０に保持される矩形形状の機器と一致する。凹床面１６の寸法は、トレイ１０内に保管又は表示される機器がトレイ１０内に配置されたときに、凹床面１６のほとんど又はすべてが覆われるような寸法である。いくつかの実施形態では、突出する稜線部２２は、トレイ１０内で製品が堅固にフィットするよう、トレイ１０内で製品を保持することができる。突出する稜線部２２はまた、トレイ１０内に置かれた製品のすべり又は移動を最小化することができる。いくつかの実施形態に含まれる溝２４ａ及び２４ｂは、側壁１２ａ及び１２ｂの内側にて切欠きとしてこの図に現れており、トレイ１０からの製品の取り外しを補助するために、トレイと製品との間への取り外し手段の挿入を可能とする。いくつかの実施形態では、ここに示される端壁２０ａ及び２０ｂの台形形状は、情報表示体６０の特定の実施形態の端部タブ６４ａ及び６４ｂの形状と合っている。
【００１７】
図５は、トレイ１０の下部平面図である。この図に示されているように、布又はフェルトのようなトレイの上側を覆う柔軟な材料で下側をも覆う必要はない。柔軟なカバー材料の１つの利点は、表示のためのトレイ１０の外観を向上させることと同様に損傷から製品を保護することである。いくつかの実施形態では、製品がトレイ１０内に置かれるときに下側と接触しないため、及び製品がトレイ１０内に表示されるときに下側が見えないため、トレイ１０の上側と同様の柔らかい材料で下側を覆うことは有利ではない。図５はまた、トレイ１０が、半硬質材料の中空成形品であり得ることを示している。いくつかの実施形態では、トレイ１０は材料の固体片であり得るが、しかしながら、図５におけるこの実施形態に示された中空構造は、低減された重量及びより低い材料コストの利益をもたらす。トレイ１０は、トレイ１０内に保持される製品の形状に従って、様々な形状及び外形に成形されることができると理解される。例えば、トレイ１０は、およそ同じ形状の機器に合うように円形、八角形又は楕円としてもよい。
【００１８】
図６は、情報表示体６０の第１実施形態を保持するトレイ１０の斜視図である。いくつかの実施形態では、情報表示体６０は中央矩形部６２並びに２つの端部タブ６４ａ及び６４ｂから構成されている。いくつかの実施形態では、中央矩形部６２並びに２つの端部タブ６４ａ及び６４ｂは、折り畳み可能な材料の単一品から構成されており、情報を表示することができる。そのような材料は、ボール紙のような紙ベースであるか、又はプラスチック若しくはプラスチック様の基材ともすることができる。各々の端部タブ及び中央矩形部６２の共有部には折り目が位置していてもよい。これは、端壁２０ａ及び２０ｂの斜面に合うよう、端部タブ６４ａ及び６４ｂが上方に折り曲げられることを可能とする。この実施形態では、表示体の中央矩形部６２は、トレイ１０の凹床面１６の寸法と実質的に合う大きさである。これは、情報表示体６０が凹部１４内に堅固にフィットすることを可能とする。いくつかの実施形態では、端部タブ６４ａ及び６４ｂの台形形状は、トレイ１０の内側端壁２０ａ及び２０ｂの台形形状とほぼ合っている。いくつかの実施形態におけるタブの大きさは、タブ６４ａ及び６４ｂの各々が端壁２０ａ及び２０ｂの長さを超えて拡がるような大きさである。図２を参照したときに説明したように、端壁２０ａ及び２０ｂの端部を越えて延びる端部タブ６４ａ及び６４ｂの部分は用意に掴むことができ、トレイ１０からの情報表示体６０の取り外しを容易にする。加えて、トレイ１０内で情報表示体６０の上に製品が配置されると、端壁２０ａ及び２０ｂを越えて延びる端部タブ６４ａ及び６４ｂの一方又は両方の部分を掴み上方に持ち上げることによって、製品はトレイ１０からより容易に取り外すことができ、従って、製品を取り外すために取り外し手段の使用又はトレイ１０をひっくり返す必要がなくなる。再び図６を参照すると、トレイ１０内に表示又は保管される製品は、トレイ１０の凹部１４内で情報表示体６０の上に配置することができる。
【００１９】
図７は、トレイ１０から取り外された情報表示体６０の分解図を示す。図は、凹床面１６の上にある情報表示体６０の中央矩形部６２を配置する、トレイ１０の凹部１４内にどのようにして情報表示体６０が挿入されるかを示している。情報表示体６０の端部タブ６４ａ及び６４ｂは、端壁２０ａ及び２０ｂの上にそれぞれ配置される。
【００２０】
情報表示体６０は、図６を参照して説明したようにトレイ１０からの製品のより容易な取り外しを可能とする目的を果たすことができる。いくつかの実施形態では、情報表示体６０はまた、消費者に情報を提供する役目を果たすことができる。情報表示体６０のすべてのセクションは、製造者の名称又はロゴ、製品の名称又はロゴ、製品の特徴、及び広告のような、消費者に有益な情報又は画像を印刷することができる。この実施形態における表示体６０の構成の利点の１つは、端部タブ６４ａ及び６４ｂに印刷されたいかなる情報も製品がトレイ１０内で表示体６０の上に配置されたときになお見えること、及び、それゆえになおトレイ内にある製品とともにメッセージ又は情報を観察者に伝達できることである。端部タブ６４ａ及び６４ｂの視認性は、内側端壁２０ａ及び２０ｂの傾斜した構造によるものである。これらの傾斜は、トレイ１０内の製品及び表示体６０を固定するのと同時に、トレイ１０の上方から端部タブ６４ａ及び６４ｂを視認可能とする。
【００２１】
図８〜１８は、本願明細書の第２実施形態を示す。この実施形態は、細長いライター又は筆記具のような細長い製品の表示及び保管に適している。
【００２２】
図８を参照すると、この実施形態はトレイ８０、情報表示体８２及び箱８４から構成されている。表示体８２はここではトレイ８０内に挿入されて示されている。そして、トレイ８０は箱８４に保持されて示されている。
【００２３】
図９は、箱８４からのトレイ８０の取り外しを示す。この実施形態では、箱８４の寸法は、箱８４の壁の内側にトレイ８０が堅固にフィットするような寸法である。
【００２４】
図１０は、トレイ８０の保持から取り外された情報表示体８２を示す。トレイ８０のこの実施形態は、第１の凹部１０２を囲む上面１００を有する。上面１００はまた、その中に画成され、情報表示体８２がトレイ８０に保持されるときに情報表示体８２の部分の配置位置に相当する、２つの凹面領域１０４ａ及び１０４ｂを有する。別の実施形態では、２つの凹面領域１０４ａ及び１０４ｂは、図１０に示されるような台形形状よりむしろ矩形形状を有する。加えて、２つの凹面領域１０４ａ及び１０４ｂの深さは、第１の凹部１０２と、トレイ８０の外壁１１２と、の間で一定である。トレイの第１の凹部１０２は、凹床面１０６、及び、凹床面１０６を囲むとともに凹床面１０６と上面１００との間に縦方向に延びる内壁１０８を備える。図１０における第１の凹部１０２は矩形断面の輪郭を有するように描かれているが、第１の凹部１０２は、第１の凹部１０２の幅が上部より底部で小さいテーパ状断面の輪郭を有していてもよい。テーパ状断面を持つトレイ８０の代表的な実施例は図１８ａに示されている。この実施形態は、第１の凹部１０２内に配置された機器の移動に対して追加の固定を提供する。更に別の実施形態では、移動に対して機器を更に固定するために、凹部１０２の内壁１０８上にオスの移動止めを配置することができる。オスの移動止めを持つトレイ８０の代表的な実施例は図８ａ及び図１６ａに示されている。
【００２５】
凹床面１０６は、その中に画成され、凹床面１０６の床レベルからわずかに窪んでいる、更なる凹領域１１０を有する。更なる凹領域１１０並びに２つの凹面領域１０４ａ及び１０４ｂを含む第２の凹部は、情報表示体８２がトレイ８０内に保持される位置に一致する。更なる凹領域１１０並びに２つの凹面領域１０４ａ及び１０４ｂの寸法及び形状は、表示体８２がトレイ８０内に配置されるときに表示体８２の部分が対応する凹領域の範囲内にあるように、表示体８２の寸法及び形状と一致する。いくつかの実施形態では、第１の凹部１０２の寸法は、長さ、幅及び深さによって画成されており、トレイ８０内に保管又は表示されまた長さ、幅及び深さによって画成される製品の寸法とほぼ合っている。いくつかの実施形態では、トレイ８０は、上面１００の外縁部から縦方向に延びてトレイ８０の全ての側を囲む外壁１１２から構成されている。そのような実施形態では、外壁１１２の深さは凹部１０２の深さと等しいか又はより大きい。
【００２６】
図１０に示すように、開示のこの実施形態の利点は、情報表示体８２がトレイ８０の凹部内に配置でき所定の位置で保持できることである。製品は、その結果トレイ８０の第１の凹部１０２内で表示体８２の上に配置することができる。製品は保管又は表示のためにトレイ８０内の所定の位置に堅固に保持される。情報表示体８２は、トレイ８０からの製品の容易な取り外しを手助けする役目を果たす。製品がトレイ８０内で情報表示体８２の上に配置されたとき、トレイ８０から表示体８２及び製品の両方を取り外すために、１以上の点で表示体８２を掴んで表示体８２を上方に持ち上げることによって製品を容易に取り外しできる。いくつかの実施形態では、製品に対する損傷を防ぐとともに製品の表示のためのトレイ８０の美観を向上させるため、トレイ８０は布又はフェルトのような柔軟な材料で覆われる。
【００２７】
図１１は、トレイ８０の上部平面図を示す。この図は、上面１００がどのように第１の凹部１０２を囲んでいるかを更に示している。いくつかの実施形態では、トレイ８０、及びそれゆえ上面１０２の長さ及び幅は、トレイ８０内に配置される製品の長さ及び幅を超える。図１１はまた、凹面領域１０４ａ及び１０４ｂがどのように上面１００の外縁部１１２から上面１００の内縁部１１４へ架かるかを示している。いくつかの実施形態では、凹面領域１０４ａ及び１０４ｂ並びに更なる凹領域１１０の形状及び寸法は、トレイ８０に保持される表示体８２の部分の形状及び寸法とほぼ合っている。この実施形態では、凹面領域１０４ａ及び１０４ｂは、凹面領域内にある情報表示体８２の部分の台形形状と合うような台形形状を有する。情報表示体８２がトレイ８０内に配置されたとき、凹面領域１０４ａ及び１０４ｂ並びに更なる凹領域１１０は、情報表示体８２を所定の位置で保持すること及びそのずれ又はすべりを防ぐことを補助する役目を果たす。
【００２８】
図１２はトレイ８０の端面図を示す。いくつかの実施形態では、外壁１１２の高さは第１の凹部１０２の深さより大きいか又は等しくなるように設計されている。図１３はトレイ８０の側面図を示す。この図は、凹面領域１０４ｂのわずかな深さを示している。この凹面領域は、情報表示体８２がトレイ８０によって保持されるときに配置される場所に相当する。いくつかの実施形態では、凹面領域１０４ｂのテーパ状の幅は、凹面領域１０４ｂ内に配置される表示体８２の部分のテーパ状の幅とほぼ等しい。
【００２９】
図１４はトレイ８０の下部平面図を示す。この実施形態は半硬質材料の中空成形品であるように表されている。この特徴を採用することは、この中空構造が低減された重量及び低材料コストの利益を提供するので、実施形態にとって有利である。しかしながら、いくつかの実施形態ではトレイ８０は材料の固体片から構成されていてもよい。トレイ８０内で保持される製品の形状に応じて、トレイ８０が様々な形状及び外形に成形され得ると理解される。例えば、トレイ８０は、ほぼ同じ形状の機器と合うように、円形、八角形又は楕円形の形状であってもよい。
【００３０】
図１５は情報表示体８２の斜視図である。いくつかの実施形態では、表示体８２は情報を表示可能な折り畳みできる材料の単一品で構成されている。そのような材料は、ボール紙のような紙ベースであるか、又はプラスチック若しくはプラスチック様の基材ともすることができる。いくつかの実施形態では、情報表示体８２は矩形の凹底部１５０並びに２つの矩形の側部１５２ａ及び１５２ｂを備える。表示体の材料は、矩形の凹底部１５０と矩形の側部１５２ａ及び１５２ｂの各々との共有部に沿って折り目になっており、矩形の側部１５２ａ及び１５２ｂが矩形の凹底部１５０からほぼ垂直に上方へ折られることを可能とする。いくつかの実施形態では、表示体のこの折り畳める部分、１５０、１５２ａ及び１５２ｂは、トレイ８０の第１の凹部１０２内にフィットするであろう。具体的には、表示体８２の矩形の凹底部１５０は、トレイ８０の更なる凹領域１１０と位置が合い且つトレイ８０の更なる凹領域１１０の内側にある。前述したように、トレイ８０の第１の凹部１０２は矩形の輪郭よりもむしろテーパ状の断面の輪郭を有する。この実施形態では、底部１５０並びに側部１５２ａ及び１５２ｂは、図１５及び１１に示す矩形よりむしろテーパ状となった断面の輪郭を有する。この実施形態は、第１の凹部１０２内に配置された機器の移動に対して追加の固定を提供する。
【００３１】
いくつかの実施形態では、表示体８２は更に２つの表面タブ１５４ａ及び１５４ｂから構成される。表示体８２がトレイ８０の保持にて配置されるとき、表面タブ１５４ａ及び１５４ｂの各々は、それぞれ凹面領域１０４ａ及び１０４ｂの１つの中にある。従って、いくつかの実施形態では、表面タブ１５４ａ及び１５４ｂの形状は、凹面領域１０４ａ及び１０４ｂの形状とほぼ合っているであろう。これは、トレイ８０内に配置されたときにずれ又はすべりから表示体８２を更に固定する役目を果たす。そして、前述したように、２つの表面タブ１５４ａ及び１５４ｂは台形形状よりむしろ矩形形状を有することとしてもよい。表示体の材料は、矩形の側部１５２ａ及び１５２ｂと表面タブ１５４ａ及び１５４ｂとのの共有側に沿って折り目になっており、表示体８２がトレイ８０内に配置されたときに、凹面領域１０４ａ及び１０４ｂに対して表面タブ１５４ａ及び１５４ｂが平らに置かれることを可能とする。
【００３２】
いくつかの実施形態では、表面タブ１５４ａ及び１５４ｂを含む表示体８２のフラップ部は、更に２つの外側フラップ１５６ａ及び１５６ｂから構成されている。表示体の材料は、表面タブ１５４ａ及び１５４ｂと外側フラップ１５６ａ及び１５６ｂとの共有側に沿って折り目になっており、表示部８２がトレイ８０内に配置されるときに外側フラップ１５６ａ及び１５６ｂが下方に折られてトレイ８０の外壁１１２に対して平らに置かれることを可能とする。トレイ８０が箱８４内に配置されるとき、外側フラップ１５６ａ及び１５６ｂは、トレイ８０の表面に対して平らにて表示体８２を更に固定する役目を果たす。これは、外側フラップ１５６ａ及び１５６ｂがトレイの外壁１１２と箱８４の内面との間にフィットするよう折り畳まれることで実現される。表示体８２の構成は、トレイ８０と相補的であると理解されるべきであり、従って表示体８２がトレイ内に配置されたときに堅固なフィット感を提供する。
【００３３】
表示体６０の第１実施形態のように、情報表示体８２は、図１０を参照して説明したようなトレイ８０からの製品のより容易な取り外しを可能とする。いくつかの実施形態では、情報表示体８２はまた、消費者に情報を提供する役目を果たす。情報表示体８２のすべての部分は、製造者の名称又はロゴ、製品の名称又はロゴ、製品の特徴、及び広告のような、消費者に有益な情報を印刷することができる。情報表示体８２のこの実施形態の構造の利点の１つは、表面タブ１５４ａ及び１５４ｂに印刷されたいかなる情報も製品がトレイ８０内で表示体８２の上に配置されたときになお見えること、及び、それゆえになおトレイ８０内にある製品とともにメッセージ又は情報を観察者に伝達できることである。
【００３４】
図１６は、表示体８２を保持するトレイ８０の上部平面図である。この図は、表示体８２がトレイ８０によって保持されたときの、表示体８２の表面タブ１５４ａ及び１５４ｂ並びに矩形の凹底部１５０の視認性を示す。従って、表示体８２は、製品がトレイ８０内に保持されないときに消費者に観察される情報を印刷することができる。表面タブ１５４ａ及び１５４ｂは、製品がトレイ内に配置されるか又はトレイ８０から取り外されるときに見ることができるであろう。
【００３５】
図１７は、表示体８２がトレイ８０内に配置されたときのトレイ８０の側面図を示す。いくつかの実施形態では、表示体８２の外側フラップ１５６ｂは、外壁１１２に対して平らに折り畳まれる。この構成は、トレイ８０の表面に対して表示体８２を固定するのに役立つ。具体的には、表示体８２を保持するトレイ８０が箱８４内に配置されたときに外側フラップ１５６ａ及び１５６ｂはトレイ８０と箱８４との間に固定され、従って、表示体８２を所定の位置に保持するのに更に役立つ。そのような実施形態では、外側フラップ１５６ａ及び１５６ｂの深さは、外壁１１２の深さより小さいか又は等しい。
【００３６】
図１８は、図１６のトレイ８０内に保持された表示体８２の１８−１８線に沿った断面図である。この図は、いくつかの実施形態においてトレイ８０の表面に対する全ての側に表示体８２がどのように平らに置かれているかを示す。トレイ８０は縞模様の領域によって示されており、表示部８２はトレイ８０の上に配置された表示体の細い外形線によって示されている。いくつかの実施形態では、トレイ８０内に保管又は表示される製品は、第１の凹部１０２内であってトレイ８０の第１の凹部内に保持された表示体８２の部分の上に配置されると理解される。
【００３７】
本発明の幅広さ及び範囲は、上述した例示的な実施形態のいずれによっても限定されないと理解されるべきであるが、以下の特許請求の範囲及びそれらの均等物に従ってのみ定義されるべきである。また、説明した実施形態において利点及び特徴が提供されるが、上記利点のいずれか又は全てを達成する工程及び構造に特許請求の範囲の適用を制限するものではない。
【００３８】
なお、ここに示した節の見出は、３７ ＣＦＲ １．７７（米国連邦法第３７号 １．７７条）で示唆される一貫性を持たすため、あるいは組織的な手掛かりを提供するために付与されている。これらの見出しは、本明細書に提示された特許請求の範囲に記載された発明を限定したり、特徴付けたりするものではない。特に例を示せば、その見出しが“技術分野”に言及していたとしても、特許請求の範囲は、この見出しの下で、いわゆる技術分野を説明するために選択された言葉によって限定されることはない。さらに言えば、“背景技術”に記載された技術は、本明細書に記載されたいかなる発明に対しても、先行技術として解釈されることはない。同様に、“概要”は、ここに見られる特許請求の範囲に記載された発明の特徴描写として取り扱われることはない。また、本明細書で、“発明”を単数形で示した記載は、本明細書中の新規性のあるポイントが１件しかないと言おうとするものではない。本明細書と関連する複数の特許請求の範囲の数の範囲の複数の発明が提示されて、その特許請求の範囲は、保護されるべき発明とその等価物を定義している。結局、その特許請求の範囲の射程は、本明細書に示されたそれ自身の効果を考慮して判断されるべきであり、そこに示された見出しを考慮すべきではない。
【図１】
2013518780.tif 000003
【図２】
2013518780.tif 000004
【図３】
2013518780.tif 000005
【図４】
2013518780.tif 000006
【図５】
2013518780.tif 000007
【図６】
2013518780.tif 000008
【図７】
2013518780.tif 000009
【図８】
2013518780.tif 000010
【図８ａ】
2013518780.tif 000011
【図９】
2013518780.tif 000012
【図１０】
2013518780.tif 000013
【図１１】
2013518780.tif 000014
【図１２】
2013518780.tif 000015
【図１３】
2013518780.tif 000016
【図１４】
2013518780.tif 000017
【図１５】
2013518780.tif 000018
【図１６】
2013518780.tif 000019
【図１６ａ】
2013518780.tif 000020
【図１７】
2013518780.tif 000021
【図１８】
2013518780.tif 000022
【図１８ａ】
2013518780.tif 000023
【国際調査報告】
2013518780.tif 000024